(57)【特許請求の範囲】
【請求項１】
複数のユーザーが持ち歩く情報端末と、前記情報端末との間で、データの送受信を行うサーバ装置と、
所定の距離の範囲内において、端末固有の識別情報を発信する複数の位置検知端末と、
を備える逸失物発見システムにおいて、
前記情報端末は、
前記位置検知端末の初期設定として、特定のユーザーが所有する前記位置検知端末と、同一のユーザーが所有する前記情報端末とを対応付け、対応関係を前記端末固有の識別情報とともに前記サーバ装置へと送信する対応処理部と、
いずれかの前記位置検知端末から送信された前記端末固有の識別情報を受信する受信部と、
前記端末固有の識別情報をいずれかの前記位置検知端末から受信した際に、受信した前記情報端末が受信したタイミングにおける自らの位置情報を取得する位置情報取得部と、
前記位置検知端末を取り付けた逸失物が紛失したか否かを設定情報として設定する設定部と、
受信した前記端末固有の識別情報、前記位置情報取得部が取得した前記位置情報、及び前記設定情報を前記サーバ装置へと送信する送信部と
を備え、
前記サーバ装置は、
前記対応処理部によって送信された、前記位置検知端末の端末固有の識別情報と、前記情報端末との対応関係を記憶する端末記憶部と、
前記端末固有の識別情報をいずれかの前記位置検知端末から受信した情報端末から、前記端末固有の識別情報と、前記位置情報とを受信すると、前記端末記憶部を参照して、前記端末固有の識別情報によって特定されるユーザーの前記位置検知端末に対して前記対応処理部によって対応付けられた前記情報端末を特定し、特定されたユーザーの前記情報端末へと前記位置情報を通知する位置情報通知部と、
を備え、
前記位置検知端末が取り付けられた逸失物であって、前記設定情報が紛失した設定となっているものから所定の距離の範囲内に、前記受信部を有するいずれかのユーザーの前記情報端末が位置することにより、逸失物に取り付けられた前記位置検知端末と対応付けられた特定のユーザーの前記情報端末に対して、位置情報通知部が前記位置情報を送信するともに、
前記設定情報が、前記位置検知端末を取り付けた逸失物が紛失していない設定の場合、前記位置情報通知部は、前記端末固有の識別情報と対応付けられた前記情報端末への前記位置情報の通知を行わないようにする
ことを特徴とする逸失物発見システム。
【請求項２】
前記位置検知端末は、ＢＬＥ（Bluetooth Low Energy）規格に基づく通信によって前記端末固有の識別情報を送信する
ことを特徴とする請求項１に記載の逸失物発見システム。
【請求項３】
前記設定部は、前記受信部が、当該情報端末と対応付けられた前記位置検知端末から送信された前記端末固有の識別情報を受信しなくなった際に、逸失物が紛失した旨の前記設定情報を更新し、
前記送信部は、更新された前記設定情報を前記サーバ装置へと送信する
ことを特徴とする請求項１に記載の逸失物発見システム。
【請求項４】
前記設定部は、前記受信部が、当該情報端末と対応付けられた前記位置検知端末から前記端末固有の識別情報を受信しなくなった状態から、再度受信した際に、逸失物が紛失していない旨の前記設定情報を更新し、
前記送信部は、更新された前記設定情報を前記サーバ装置へと送信する
ことを特徴とする請求項１又は３に記載の逸失物発見システム。
【発明の詳細な説明】
【技術分野】
【０００１】
本発明は、アプリケーションソフトを利用した逸失物発見システムに関するものである。
【背景技術】
【０００２】
従来、逸失物を発見する方法としては、特許文献１のように、物体にＰＨＳ通信機能を取り付け、物体の所在位置について数百メートルのエリアを特定したのち、ＰＨＳ通信機能のアンテナを持った探知器をもった探索者が移動しながら、探知器同士の所在情報などを情報共有し、物体に接近する方位を特定していくことで物体に接近し探し当てる、といった発明が開示されている。当該方法においては、当該物体の所在位置が明確に特定される訳ではなく、比較的広いエリアのみが判明した後、最終的には探索者自身がその場所に行って当該物体を探し当てるというものである。
【０００３】
また、特許文献２のように逸失物の発見の機会を高めるためにＳＮＳにおける人脈を捜索に活用するシステムの考案もなされていた。ここでは、逸失物にＧＰＳを含むシステムを取り付ける必要があり、電力消費量の大きいＧＰＳを適当に機能させる為に、自動車などの車両から電力を供給されて使用される構成が開示されている。
【先行技術文献】
【特許文献】
【０００４】
【特許文献１】特開２０１４−１８２０２１号公報
【特許文献２】特開２０１４−０５２８８２号公報
【発明の概要】
【発明が解決しようとする課題】
【０００５】
本発明は上記事情に鑑み、探索者自身が実際に現場に赴いて探し当てる必要性を省く事で探索者自身が逸失物の探索にかかる時間と労力をなくし、また逸失物に取り付ける装置の省電力化を図ることのできる逸失物発見システムを提供することを目的とする。
【課題を解決するための手段】
【０００６】
第１の発明は、（以下同様）は、  複数のユーザーが持ち歩く情報端末と、前記情報端末との間で、データの送受信を行うサーバ装置と、所定の距離の範囲内において、端末固有の識別情報を発信する複数の位置検知端末と、を備える逸失物発見システムにおいて、前記情報端末は、前記位置検知端末の初期設定として、特定のユーザーが所有する前記位置検知端末と、同一のユーザーが所有する前記情報端末とを対応付け、対応関係を前記端末固有の識別情報とともに前記サーバ装置へと送信する対応処理部と、いずれかの前記位置検知端末から送信された前記端末固有の識別情報を受信する受信部と、前記端末固有の識別情報をいずれかの前記位置検知端末から受信した際に、受信した情報端末が受信したタイミングにおける自らの位置情報を取得する位置情報取得部と、前記位置検知端末を取り付けた逸失物が紛失したか否かを設定情報として設定する設定部と、受信した前記端末固有の識別情報、前記位置情報取得部が取得した前記位置情報、及び前記設定情報を前記サーバ装置へと送信する送信部とを備え、前記サーバ装置は、前記対応処理部によって送信された、前記位置検知端末の端末固有の識別情報と、前記情報端末との対応関係を記憶する端末記憶部と、前記端末固有の識別情報をいずれかの前記位置検知端末から受信した情報端末から、前記端末固有の識別情報と、前記位置情報とを受信すると、前記端末記憶部を参照して、前記端末固有の識別情報によって特定されるユーザーの前記位置検知端末に対して前記対応処理部によって対応付けられた前記情報端末を特定し、特定されたユーザーの前記情報端末へと前記位置情報を通知する位置情報通知部と、を備え、前記位置検知端末が取り付けられた逸失物であって、前記設定情報が紛失した設定となっているものから所定の距離の範囲内に、前記受信部を有するいずれかのユーザーの前記情報端末が位置することにより、逸失物に取り付けられた前記位置検知端末と対応付けられた特定のユーザーの前記情報端末に対して、位置情報通知部が前記位置情報を送信するともに、前記設定情報が、前記位置検知端末を取り付けた逸失物が紛失していない設定の場合、前記位置情報通知部は、前記端末固有の識別情報と対応付けられた前記情報端末への前記位置情報の通知を行わないようにすることを特徴とする逸失物発見システムである。
【０００８】
第２の発明は、請求項１の発明において、前記位置検知端末は、ＢＬＥ（Bluetooth（登録商標） Low Energy）規格に基づく通信によって前記端末固有の識別情報を送信することを特徴とする。
【０００９】
第３の発明は、請求項１記載の発明において、前記設定部は、前記受信部が、当該情報端末と対応付けられた前記位置検知端末から送信された前記端末固有の識別情報を受信しなくなった際に、逸失物が紛失した旨の前記設定情報を更新し，前記送信部は、更新された前記設定情報を前記サーバ装置へと送信することを特徴とする。
【００１０】
第４の発明は、請求項１又は３記載の発明において前記設定部は、前記受信部が、当該情報端末と対応付けられた前記位置検知端末から前記端末固有の識別情報を受信しなくなった状態から、再度受信した際に、逸失物が紛失していない旨の前記設定情報を更新し、前記送信部は、更新された前記設定情報を前記サーバ装置へと送信することを特徴とする。
【発明の効果】
【００１１】
本発明の逸失物発見システムにおいては、探索者自身が実際に現場に赴いて探し当てる必要性を省く事で探索者自身が逸失物の探索にかかる時間と労力をなくし、また逸失物に取り付ける装置の省電力化を図ることができるようになる。
【図面の簡単な説明】
【００１２】
【図１】実施形態の逸失物発見システムの概要を示す概念図である。
【図２】実施形態の逸失物発見システムの機能構成を示すブロック図である。
【図３】実施形態の逸失部発見システムにおいて、情報端末と位置検知端末の対応付けに係る処理の流れを示すフロー図である。
【図４】実施形態の逸失部発見システムにおいて、サーバ装置が情報端末へと位置情報を通知する処理の流れを示すフロー図である。
【図５】実施形態の逸失物発見システムにおける位置検知端末を発見した際の情報端末の処理の流れを示すフロー図である。
【図６】実施形態の逸失物発見システムにおける位置検知端末の紛失状態の設定の変更に係る処理の流れを示すフロー図である。
【発明を実施するための形態】
【００１３】
以下、図面を参照して本発明を具体化した実施形態について説明する。実施形態の逸失物発見システムは、スマートフォンやタブレットなどユーザーが日常的に持ち歩く端末に、アプリをインストールして使用する態様を想定している。なお、使用されるハードウェアとしてはこれらにとどまらず、例えば腕時計型のウェアラブルデバイスなど、今後新たに登場するデバイスであれば、適用することができる。
【００１４】
図１は、本システムの使用態様を示す概念図である。本サービスでは、逸失物発見システム１は、まず各ユーザーが所有する情報端末２０、位置検知端末１０、サーバ装置３０によって構成されている。
【００１５】
位置検知端末１０は、財布やカバンなど、所有者が紛失したくないと思う対象物に対して取り付けるチップ型の端末である。位置検知端末１０は、例えばｉｂｅａｃｏｎ（登録商標）のようなＢｌｕｅｔｏｏｔｈ（登録商標） Ｌｏｗ Ｅｎｅｒｇｙ（ＢＬＥ）規格で通信を行うチップであり、電力消費が少なく設定された個別の識別情報などを近距離に対して無線で発信することができる。位置検知端末１０は、ｐｒｏｘｉｍｉｔｙ ＵＵＩＤ、ｍａｊｏｒ、ｍｉｎｏｒの３つの端末固有の識別情報が設定されている。ｐｒｏｘｉｍｉｔｙ ＵＵＩＤは、予め位置検知端末１０の提供者によって端末毎に異なる番号が付与された識別番号である。ｍａｊｏｒ、及びｍｉｎｏｒは逸失物の発見サービス特有のサービス識別情報が付与されている。したがって、情報端末２０からはｍａｊｏｒ、及びｍｉｎｏｒの値を参照することで、このチップがサービス対象のものであるかを判定することができる。なお、これら３つの識別情報は必ずしも必須ではなく、仮に１種類の端末固有の識別情報であっても、位置検知端末１０を特定できれば、識別情報の種類は問わない。
【００１６】
サーバ装置３０は、情報端末２０との間で、データの送受信を行う装置であり、情報端末２０との間の通信には、ＷｉＦＩなどの無線通信を用いたインターネット接続や、３Ｇ、４Ｇなどといった携帯電話用の通信回線を用いた接続によって、行われる。
【００１７】
本実施形態の逸失物発見システム１では、ユーザーは当該システムを用いたサービスを利用するために、まず情報端末２０に専用のアプリをインストールする。したがって、情報端末２０には、異なるユーザーであっても、同一のアプリがインストールされていることとなる。
【００１８】
このようにアプリをインストールしたユーザーが位置検知端末１０を取り付けた所有物を落とした場合において、その逸失物から所定の範囲内、例えばｉｂｅａｃｏｎの規格で定められる１０〜２０ｍ程度の以内に、同一のアプリをインストールした別の情報端末２０を携帯したユーザーが位置すると、このユーザーの情報端末２０から位置検知端末１０固有の識別番号と、情報端末２０のＧＰＳを用いて取得される位置情報とをサーバ装置３０へと送信する。
【００１９】
これらの情報を受信したサーバ装置３０は、取得した位置検知端末１０の識別情報から、逸失物の所有者を特定し、その所有者の情報端末２０内のアプリに対して、逸失物の位置情報を通知する。したがって、本実施形態では、逸失物の位置情報が、位置検知端末１０ではなく、その近傍を通りかかったユーザーの情報端末２０によって、ユーザーが認知することなく、取得されサーバ装置３０へと送信されるようになっている。
【００２０】
図２は、逸失物発見システム１の機能構成を示すブロック図である。位置検知端末１０は、発信部１１、及び記憶部１２を備えている。発信部１１は、上述した位置検知端末１０の識別情報であるＵＵＩＤ、ｍａｊｏｒ、ｍｉｎｏｒの値を所定の距離内にある端末に対して発信する。記憶部１２は、位置検知端末１０の識別情報を記憶する領域である。記憶部１２への識別情報の書き込みは、位置検知端末１０の配布者が出荷前に行う処理であり、サービスごとに設定された値を専用の装置を用いて処理が行われる。
【００２１】
情報端末２０は、対応処理部２１、受信部２２、位置情報取得部２３、送信部２４、設定部２５を備えている。これらの各機能の少なくとも一部は、インストールされるアプリによって実現されるものである。対応処理部２１は、情報端末２０と位置検知端末１０との対応付けを行う。もともと位置検知端末１０は、単に位置検知端末１０自身の識別情報を発信する機能しかないため、所有物に取り付けたとしても、それではだれの所有物かを判定することができない。そのため、情報端末２０と位置検知端末１０との対応関係をサーバ装置３０へと送信し、サーバ装置３０において記憶する処理が行われる。
【００２２】
図３は、対応付けの処理の詳細な処理の流れを示すフロー図である。図３に示されるように、当処理は例えば情報端末２０にインストールされたアプリを起動し、アプリ内画面に表示された「チップの対応付けをする」などの操作ボタンを操作することによって開始される。まず、対応処理部２１は、位置検知端末１０から発信されるサービス種別を示す識別情報が、本サービスと対応したものであるか否かを判定する（ステップＳ１）。対応したサービスのものでないと判定された場合（ステップＳ１：Ｎｏ）、そのまま処理を終了する。
【００２３】
一方、本サービスと対応したものであると判定された場合（ステップＳ１：Ｙｅｓ）、対応処理部２１は、位置検知端末１０の識別情報と、情報端末２０の識別情報とをサーバ装置３０へと送信する（ステップＳ２）。そして、送信された識別情報を受信したサーバ装置３０の端末記憶部３１は、これらの識別情報を対応付けて記憶する（ステップＳ３）。
【００２４】
受信部２２は、位置検知端末１０の発信部１１から送信された識別情報を受信する。受信部２２は、位置検知端末１０の通信規格と同様の通信を受信可能に構成されており、本実施形態ではｉｂｅａｃｏｎによる通信が可能である。また、受信部２２はサーバ装置３０から送信されたデータの受信も行う。位置情報取得部２３は、情報端末２０の現在の位置情報を取得し、例えばＧＰＳ（Global Positioning System）による位置取得を行う。
【００２５】
送信部２４は、サーバ装置３０との間でデータの通信が可能であり、識別情報と位置情報とをサーバ装置３０へと送信する。以下、図５を用いて位置検知端末１０を発見した際の情報端末２０の処理を説明する。図５に示される処理は、情報端末２０を携帯するユーザーが移動中などに位置検知端末１０の通信範囲内に位置するようになり、近距離無線通信によって何らかの情報を自動で受信することによって開始される。なお、位置情報の発信のタイミングについては、適宜変更することができ詳細については後述する。
【００２６】
まず受信部２２は、位置検知端末１０から受信した識別情報がサービスに対応したものであるか否かを判定する（ステップＳ２０）。サービスに対応したものでない場合（ステップＳ２０：ＮＯ）、そのまま処理は終了する。サービスに対応した識別情報であった場合（ステップＳ２０：Ｙｅｓ）、位置情報取得部２３は、識別情報を受信した際における情報端末２０の位置情報を取得する（ステップＳ２１）。そして、送信部２４は、取得した位置情報と、通知のあった位置端末１０の識別情報とをサーバ装置３０へと送信する。以上の処理は、情報端末２０の所有者に通知されることなく、自動で非明示的に実行される。なお、本実施形態では、識別情報を受信した際にその都度、位置情報を送信する構成を示したが、位置情報の取得、及び送信はこの方式によらない。
【００２７】
例えば、情報端末２０が一度位置情報を送信した後に、所定の時間経過しても継続して位置検知端末１０からの識別情報を受信している場合に、再度識別情報、及び位置情報を送信するようにしてもよい。また、一つの端末から位置情報を送信するのは一度のみとし、同じ端末が同一の位置検知端末２０からの識別情報を受信しても、再度の位置情報のサーバ装置３０への送信はしないようにしてもよい。
【００２８】
次いで、設定部２５よる設定の処理の流れを図６を参照して説明する。図６では、まず位置検知端末１０の紛失の設定が設定部２５によって行われたか否かを判定する（ステップＳ３０）。設定が行われた場合（ステップ３０：Ｙｅｓ）、設定部２５はサーバ装置３０に位置検知端末１０が紛失状態である旨を通知し、これを受信したサーバ装置３０では端末記憶部３１における位置検知端末１０の状態を紛失状態であると設定する（ステップＳ３３）。
【００２９】
一方、設定が行われていない場合であっても（ステップＳ３０：Ｎｏ）、情報端末２０が位置検知端末１０からの識別番号を受信しなくなったか否かを設定部２５は判定する（ステップＳ３１）。当該判定にあっては、情報端末２０自身も自らに対応する位置検知端末１０の識別情報を対応付け部２１による処理の際に、端末内に保存しておき、当該識別情報によって特定される位置検知端末１０からの信号の有無によって判定を行う。
【００３０】
そして、受信しなくなった場合（ステップＳ３１：Ｙｅｓ）、すなわちこれまで持っていたため常に位置検知端末１０からの識別情報を受信していたのが、位置検知端末１０を取り付けた対象物を逸失してしまって、手元から離れてしまった結果、識別番号を受信できなくなってしまった場合、設定部２５は自動的にサーバ装置３０に位置検知端末１０が紛失状態である旨を通知し、これを受信したサーバ装置３０では端末記憶部３１における位置検知端末１０の状態を紛失状態であると設定する。
【００３１】
また、逆に識別情報を受信していなかった情報端末２０に対応付けられた位置検知端末
１０からの識別情報を再度受信するようになったか否かも判定される（ステップＳ３２）。再度受信するようになった場合（ステップＳ３２：Ｙｅｓ）、すなわち、紛失していた位置検知端末１０を再び発見した場合は、設定部２５は自動でサーバ装置３０に位置検知端末１０の紛失状態の解除を通知する（ステップＳ３４）。この場合も、情報端末２０内に対応する位置検知端末１０の識別情報が保存されており、紛失状態である旨の設定が行われる際に、情報端末２０内でこの設定も保存しておき、紛失状態の設定の際に、この処理が行われるようにしておけばよい。なお、ステップＳ３１、及びステップＳ３２の判定は実施しないようにしてもよく、紛失か否かの設定は手動で行うのみにしてもよい。
【００３２】
サーバ装置３０は、端末記憶部３１、及び位置情報通知部３２を備える。端末記憶部３１は、ユーザーが位置検知端末１０を自らの情報端末２０に対して、対応づける設定を行った場合に、その対応関係を記憶する記憶部である。具体的には、情報端末２０にインストールされたアプリにおけるユーザー固有の識別情報と、位置検知端末１０に設定された識別情報との対応関係を記憶する。なお、実際の記憶領域としてはハードディスクやＲＡＭなどを用いることができる。
【００３３】
位置情報通知部３２は、逸失物が発見された場合に、情報端末２０から通知された位置検知端末１０の識別情報、及び位置情報に基づいて、位置検知端末１０の所有者のユーザーの情報端末２０を特定し、この情報端末２０に対して位置検知端末１０の位置情報を通知する。
【００３４】
図４は、位置情報通知部３２によって発見された位置検知端末１０の位置情報を所有者の情報端末２０へと通知する処理の流れを示すフロー図である。図４に示されるように、本処理は、情報端末２０から、位置検知端末１０の識別情報と、位置情報とを受信することにより処理が開始される（ステップＳ１０）。
【００３５】
位置情報通知部３２は、受信した位置検知端末１０の識別情報が紛失状態に設定されているか否かを端末情報記憶部３１の情報から判定する（ステップＳ１１）。紛失状態に設定されている場合（ステップＳ１１：Ｙｅｓ）、位置情報通知部３２は、受信した位置検知端末１０と対応付けられた情報端末２０に対して、位置情報を送信する（ステップＳ１２）。一方、紛失状態に設定されていない場合（ステップＳ１１：Ｎｏ）、情報端末２０への通知は行われないまま、処理は終了する。なお、位置情報通知部３２は、本実施形態では情報端末２０から送信された位置情報をそのまま、送信するようにしているが、この点においてもいくつかの工夫が可能である。
【００３６】
例えば、サーバ装置３０には、一つの情報端末２０からではなく、複数の端末から位置情報が送られてくるため、一定時間内に受信した位置情報の平均値をとることで、位置情報の精度を向上させることができる。上述したように、情報端末２０が位置情報を取得するタイミングは、位置検知端末１０を中心とした半径１０〜３０ｍ程度のｉｂｅａｃｏｎの通信範囲に情報端末１０が入ったタイミングであることから、その分位置情報はばらけることとなる。そこで、上述のように位置情報の平均をとることで、中心に位置する位置検知端末１０自身の位置を算出しやすくすることができる。
【００３７】
また、位置情報を取得する際に、情報端末２０は、位置情報の正確さと、電波をキャッチした時の電波強度をデータとして取得するようにし、これらの情報をサーバ装置３０へと送信する。サーバ装置３０では、これらの値を参照して、位置情報の正確さを示す値を算出し、正確さのより高い位置情報を優先してユーザーの情報端末２０へと送信するようにしたり、正確さが所定の値未満の位置情報は送信しないようにしたりすることもできる。
【００３８】
以上に示した本実施形態の逸失物発見システム１においては、位置検知端末１０自身が位置情報を取得する機能を有しているのではなく、位置検知端末１０の近傍を通りかかったユーザーの情報端末２０の位置情報取得部２３によって、逸失物の所在の情報を取得するようにした。通常、このような位置情報の取得を行う場合には、ＧＰＳに対応したチップ等を位置検知端末１０内に設けないといけなくなるため、位置検知端末１０の消費電力が上がってしまい、使用期間の短縮や、充電の必要などデバイスとしての利便性を損なうことになってしまう。この点において、位置情報の取得の処理は、位置検知端末１０の識別番号を受信した情報端末２０側で行うようにすることで、ある程度の近傍の位置情報を推定しながらも、位置検知端末１０の電気消費量を抑え、長寿命化を図ることができるようになる。
【００３９】
また、位置情報通知部３２は、位置検知端末１０を取り付けた逸失物が紛失していない設定の場合、識別情報と対応付けられた情報端末２０への前記位置情報の通知を行わないようにした。これにより、逸失物の所有者たるユーザーが紛失した旨の設定をしない限り、位置情報が送信されてくることはない。つまり、本サービスのアプリケーションソフトを利用している者同士が一定の距離の範囲内に入ったとしても、その都度、前記位置情報が送信されるという不都合が生じないようにすることができる。
【００４０】
また、位置検知端末１０は、ＢＬＥ（Bluetooth Low Energy）規格に基づく通信によって識別情報を送信する。これにより、消費電力を最小限に抑えられることができ、当該位置検知端末１０の稼働可能時間を最良にすることができる点、頻繁な充電の必要性がなく、前記位置検知端末を取り付ける逸失物が充電可能なものに限定されるといった不都合を解消できる。
【００４１】
また、設定部２５は、受信部２２が、当該情報端末２０と対応付けられた位置検知端末１０から送信された識別情報を受信しなくなった際に、逸失物が紛失した旨の設定情報をサーバ装置３０へと送信する。これにより逸失物の所有者たるユーザーが自身の気づかない内に当該逸失物を紛失したとしても、自動的に位置情報が当該ユーザーの情報端末２０に送信されるようになり、認識していない逸失物の紛失を防止できる。
【００４２】
また、設定部２５は受信部２２が、当該情報端末２０と対応付けられた位置検知端末１０から前記識別情報を受信しなくなった状態から、再度受信した際に、逸失物が紛失していない旨の設定情報をサーバ装置３０へと送信する。これにより、一度紛失状態になった逸失物であっても、紛失状態が自動的に解除されるようになるため、利便性が向上する。
【００４３】
以上に示した本実施形態は、発明の構成の一例を示したものであり、構成は発明の範囲内において適宜変更することができる。
【符号の説明】
【００４４】
１０…位置検知端末
２０…情報端末
２１…対応処理部
２２…受信部
２３…位置情報取得部
２４…送信部
２５…設定部
３０…サーバ装置
３１…端末記憶部
３２…位置情報通知部
【要約】      （修正有）【課題】位置検知端末の省電力化を図る。【解決手段】情報端末２０は、位置検知端末１０と、当該情報端末２０とを対応付け、対応関係を端末固有の識別情報とともにサーバ装置３０へ送信する対応処理部２１と、位置検知端末１０から送信された識別情報を受信する受信部２２と、識別情報を受信した際に、受信した当該情報端末２０の現在位置を取得する位置情報取得部２３と、受信した識別情報と、取得した位置情報をサーバ装置３０へ送信する送信部２４とを備える。サーバ装置３０は、識別情報と位置情報とを受信すると、識別情報と対応付けられた情報端末２０へ位置情報を通知する位置情報通知部３２を備える。位置検知端末１０が取り付けられた逸失物から所定の距離の範囲内に、他のユーザーの情報端末２０が位置することにより、逸失物に取り付けられた位置検知端末１０と対応付けられた情報端末２０に対して、位置情報が送信される。【選択図】図２【図１】
0005894309.tif 000002
【図２】
0005894309.tif 000003
【図３】
0005894309.tif 000004
【図４】
0005894309.tif 000005
【図５】
0005894309.tif 000006
【図６】
0005894309.tif 000007